(57)【要約】      （修正有）【課題】振動を低減し、簡易に組み立て可能なファンの振動低減構造を提供する。【解決手段】ファン群１の前後に第１及び第２のフレーム３及び４を配置してこれらのフレームを介して筐体２に結合・固定する。フレームにはそれぞれ辺部に穿孔３１、４１を設けて、第1の結合部材５によってファン群の前後側に設けた固定孔１０１，１１１を貫通して固定し、各フレームのファン群１の反対側に第1、第2の位置決め部３２、４２を突出して設けて、第２の結合部材６により該位置決め部にそれぞれ設けた孔を通して筐体２の孔に貫通して固定する。各フレームとファン群、及び筐体との間には、それぞれ第１、第２の結合部材に設けた段差により間隙を設けて直接接触しないため、ファンの振動が筐体に伝達しない。【選択図】図１
0003180761.tif 000002
【実用新案登録請求の範囲】
【請求項１】
ファンの振動がファンを収容する筐体に直接伝達しないファンの振動低減構造であって、
ファンを結合したファン群を収容する筐体、該ファン群の一方の側とその反対側に配置されて該ファン群を該筐体に結合固定する第１、第２のフレーム、ファン群と第１、第２のフレームとを結合する複数の第１の結合部材、及びファン群を結合した第1、第2のフレームを筐体に結合固定する複数の第２の結合部材からなり、
前記ファン群は、一方側の第１側とその反対側の第２側との縁部に、それぞれ複数の第１の固定孔及び第２の固定孔を設け、
前記筐体は、底板と前記底板の両側に対向設置される２つの側壁とにより、前記ファン群が収容される収容空間が画定され、
前記第１のフレームは、前記ファン群の第１側に相対して配置され、前記ファン群の第１の固定孔に相対して第1の穿孔を設け、
また、前記第2のフレームは、前記ファン群の第１側の反対側に相対して配置され、前記ファン群の第２の固定孔に相対して第２の穿孔を設け、
前記複数の第１の結合部材及び前記複数の第２の結合部材は、熱硬化性樹脂からなる弾性体からなり、
上記第１の結合部材を、ファン群の一方の第１側とその反対側の第２側とにそれぞれ設けた複数の第１の固定孔及び第２の固定孔にそれらの一端を固定すると共に、それらの他端を前記第１及び第２のフレームの第１及び第２の穿孔にそれぞれ固定して、前記ファン群と前記第１及び第２のフレームとを直接接触しないように第１の間隙を設けて第１の結合部材を介して固定し、
さらに、前記第１及び第２のフレームには、それぞれ上記ファン群と反対側にそれぞれ複数の位置決め部を突出して配置して該位置決め部にそれぞれ第１及び第２の孔を設け、上記筐体にはこれらの孔に相対する位置に位置決め孔を設け、
上記複数の第２の結合部材の一端を、それぞれ前記第１及び第２のフレームの複数の位置決め部の第１及び第２の孔に固定すると共に、それらの他端を上記筐体の位置決め孔に固定して、前記筐体と前記第１及び第２のフレームとを直接接触しないように第２の間隙を設けて第２の結合部材を介して固定し、
たことを特徴とするファンの振動低減構造。
【請求項２】
前記筐体の位置決め孔は、該筐体内側に突設された凸部に設けられ、前記第２の間隙を形成することを特徴とする請求項１記載のファンの振動低減構造。
【考案の詳細な説明】
【技術分野】
【０００１】
本考案は、ファンの振動低減構造に関し、特に、振動低減効果を大幅に高めることができる上、簡易に組み立てることができるファンの振動低減構造に関する。
【背景技術】
【０００２】
科学技術が進歩するに伴い、人々の各種電子装置に対する依頼度も高まっている。電子装置（コンピュータ、ノートブック型パソコンなど）は、作動時に内部の素子から多くの熱が発生するため、その熱を迅速に電子装置外部に放熱できない場合、電子装置が過熱状態となる。そこで、大部分の電子装置は、内部にファンが設置されることにより、所定の動作温度範囲内における温度条件が維持できるようになっている。
【０００３】
従来のファンの多くは、ねじを使用してコンピュータの筐体上に装着される。しかし、ファンは、作動中に振動が発生するため、コンピュータの筐体を振動させる。これにより、コンピュータの筐体内では、共鳴又は共振により、騒音が発生する。また、この振動は、筐体内の他の電子素子の正常な作動に影響を与える。しかし、従来のファンの振動低減固定構造は、使用される部材が多い上にこれらの部材は、製造工程が複雑である。また、従来のファンを筐体に固定する部分に採用される材料は、ファンから発生する振動が筐体上に伝達されるのを有効に阻止することができない。
【０００４】
即ち、従来のファンの振動低減構造は、以下（１）及び（２）に示す欠点を有する。
（１）振動低減効果に劣る。
（２）簡易に組み立てることができない。
【０００５】
そこで、上述の従来のファンの振動低減構造の欠点を解決することが求められていた。
【先行技術文献】
【特許文献】
【０００６】
【特許文献１】特開２００５−５１０８５号公報
【考案の概要】
【考案が解決しようとする課題】
【０００７】
本考案の主な目的は、振動低減効果を大幅に高めることができるファンの振動低減構造を提供することにある。
本考案のもう１つの目的は、簡易に組み立てることができるファンの振動低減構造を提供することにある。
【課題を解決するための手段】
【０００８】
上述の課題を解決するために、本考案は、ファン群に応用されるファンの振動低減構造を提供するものである。
【０００９】
ファン群は、第１側と、第１側と反対側の第２側と、を有する。第１側は、複数の第１の固定孔を有し、第２側は、複数の第２の固定孔を有する。
【００１０】
振動低減構造は、筐体、第１のフレーム、複数の第１の結合部材及び複数の第２の結合部材を含む。
【００１１】
筐体は、底板と、底板の両側に対向設置される２つの側壁と、を有する。底板及び側壁により、ファン群が収容される収容空間が画定される。
【００１２】
第１のフレームは、ファン群の第１側に設けられる上、第１側に接触しない。第１のフレームと第１側との間には、第１の間隙が形成される。第１のフレームは、複数の第１の固定孔に対応する複数の第１の穿孔と、ファン群の第１側の方向と反対側に突出する複数の第１の位置決め部と、を含む。複数の第１の位置決め部は、対向設置され、筐体に接触しない上、第１の孔をそれぞれ有する。複数の第１の位置決め部と筐体との間には、第２の間隙が形成される。第１の間隙及び第２の間隙は、収容空間に連通する。
【００１３】
複数の第１の結合部材は、複数の第１の穿孔及び複数の第１の固定孔に貫設される。また、複数の第１の結合部材は、第１のフレームと第１側との間に係合されることにより、第１の間隙を形成する第１の係合部を有する。
【００１４】
複数の第２の結合部材は、筐体内側に設置される。また、複数の第２の結合部材は、第１の位置決め部と筐体との間に係合されることにより、第２の間隙を形成する第２の係合部を有する。
【考案の効果】
【００１５】
本考案のファンの振動低減構造は、第１のフレームと第１側との間に、第１の係合部が係合されることによって第１の間隙が形成されるため、第１のフレームがファン群の第１側に接触しない。また、第１の位置決め部と筐体との間に第２の係合部が係合されることによって第２の間隙が形成されるため、第１のフレームが筐体に接触しない。即ち、第１の間隙及び第２の間隙により、ファン群が筐体に接触しないため、ファンから発生する振動が筐体上に伝達されるのを阻止することができる。これにより、振動低減効果を大幅に高めることができる上、簡易に組み立てることができる。
【図面の簡単な説明】
【００１６】
【図１】本考案の第１実施形態によるファンの振動低減構造を示す分解斜視図である。
【図２】本考案の第１実施形態によるファンの振動低減構造を示す斜視図である。
【図３】本考案の第１実施形態によるファンの振動低減構造を示す斜視図である。
【図４】図３の２Ｂを示す拡大図である。
【図５】図３の２Ｃを示す拡大図である。
【図６】本考案の第１実施形態によるファンの振動低減構造を示す平面図である。
【図７】図６の３Ｂを示す拡大図である。
【図８】図６の３Ｃを示す拡大図である。
【図９】本考案の第２実施形態によるファンの振動低減構造を示す分解斜視図である。
【図１０】本考案の第２実施形態によるファンの振動低減構造を示す斜視図である。
【図１１】本考案の第３実施形態によるファンの振動低減構造を示す分解斜視図である。
【図１２】本考案の第３実施形態によるファンの振動低減構造を示す斜視図である。
【考案を実施するための形態】
【００１７】
本考案の目的、特徴および効果を示す実施形態を図面に沿って詳細に説明する。
【００１８】
（第１実施形態）
図１及び図２を参照する。図１は、本考案の第１実施形態によるファンの振動低減構造を示す分解斜視図である。図２は、本考案の第１実施形態によるファンの振動低減構造を示す斜視図である。図１及び図２に示すように、本考案の第１実施形態によるファンの振動低減構造は、ファン群１に応用される。ファン群１は、第１側１０と、第１側１０と反対側の第２側１１と、を有する。
第１側１０は、複数の第１の固定孔１０１を有する。第２側１１は、複数の第２の固定孔１１１を有する。本考案の第１実施形態によるファンの振動低減構造は、筐体２、第１のフレーム３、複数の第１の結合部材５及び複数の第２の結合部材６からなる。
筐体２は、底板２０と、底板２０の両側に対向設置される２つの側壁２１と、を有する。底板２０及び側壁２１により、ファン群１が収容される収容空間２２２が画定される。複数の第１の結合部材５及び第２の結合部材６は、熱硬化性弾性体からなる。
【００１９】
図３、図４、図６及び図７を参照する。図３は、本考案の第１実施形態によるファンの振動低減構造を示す斜視図である。図４は、図３の２Ｂを示す拡大図である。図６は、本考案の第１実施形態によるファンの振動低減構造を示す平面図である。図７は、図６の３Ｂを示す拡大図である。
第１のフレーム３は、ファン群１の第１側１０に設けられるが、第１側１０に直接接触しない。第１のフレーム３と第１側１０との間には、第１の間隙３０が形成される。第１のフレーム３は、ファン群１の第１側１０に設けられた複数の第１の固定孔１０１に対応する複数の第１の穿孔３１を有する。また、第１のフレーム３には、ファン群１の第１側１０に相対する側の反対側に突出する複数の第１の位置決め部３２が設けられる。複数の第１の位置決め部３２は、互いに対向する位置に設置され、筐体２に直接接触せず、第１の孔３２４をそれぞれ有する。第１の位置決め部３２と筐体２との間には、第２の間隙３３が形成される。第１の間隙３０及び第２の間隙３３と収容空間２２２とは、互いに連通する。
【００２０】
前述の第１の結合部材５は、第１のフレーム３の第１の穿孔３１及びファン群１の第１側１０の第１の固定孔１０１に貫設して両者を結合すると共に、第１の係合部５０により、第１のフレーム３と第１側１０との間を係合して第１の間隙３０を形成する。
【００２１】
前述の第２の結合部材６は、筐体２の内側に設置され、第２の結合部材６は、第１の位置決め部３２と筐体２との間に係合されることにより、第２の係合部６０によって両者間に第２の間隙３３を形成する。
【００２２】
図５及び図８を参照する。図５は、図３の２Ｃを示す拡大図である。図８は、図６の３Ｃを示す拡大図である。図５及び図８に示すように、本考案の第１実施形態によるファンの振動低減構造は、第２のフレーム４をさらに具える。第１のフレーム３及び第２のフレーム４は、金属材料からなる。第２のフレーム４は、ファン群１の第２側１１に対して設けられるが、第２側１１に直接接触しない。第２のフレーム４とファン群１の第２側１１との間には、第３の間隙４０が形成される。第２のフレーム４は、ファン群１の第２側１１の複数の第２の固定孔１１１に対応する複数の第２の穿孔４１を有する。また、第２のフレームには、ファン群１の第２側１１に相対する側の反対側に突出する複数の第２の位置決め部４２が設けられる。複数の第２の位置決め部４２は、互いに対向して設置され、筐体２に直接接触せず、第３の孔４２４をそれぞれ有する。複数の第２の位置決め部４２と筐体２との間には、第４の間隙４３が形成される。第３の間隙４０及び第４の間隙４３は、筐体２の収容空間２２２に連通する。
【００２３】
前述の第１の結合部材５が第２のフレーム４の第２の穿孔４１及びファン群１の第２側１１の第２の固定孔１１１に貫設されて両者を結合し、第１の係合部５０が第２のフレーム４と第２側１１との間に係合されることにより、第３の間隙４０が形成される。
【００２４】
前述の第２の結合部材６の第２の係合部６０が第２の位置決め部４２と筐体２との間に係合されることにより、第４の間隙４３が形成される。
【００２５】
図１及び図２を参照する。筐体２内側には、少なくとも１つの凸部２２が突設され、第２の間隙３３及び第４の間隙４３の部分に対応して突設される。凸部２２には、第２の結合部材６が装着される。また、凸部２２には、第２の結合部材６を貫通する位置決め孔２２１が設けられ、第２の結合部材６は、位置決め孔２２１貫通して第２の間隙３３及び第１の孔３２４と、第４の間隙４３及び第３の孔４２４と、を貫通する。
【００２６】
本考案のファンの振動低減構造は、第１の結合部材５が第１の穿孔３１及び第１の固定孔１０１に貫設され、第１の係合部５０が第１のフレーム３と第１側１０との間に係合されることにより、第１の間隙３０が形成される。また、第１の結合部材５が第２の穿孔４１及び第２の固定孔１１１に貫設され、第１の係合部５０が第２のフレーム４と第２側１１との間に係合されることにより、第３の間隙４０が形成される。また、第２の係合部６０が第１の位置決め部３２と筐体２との間に係合されることにより、第２の間隙３３が形成される。また、第２の係合部６０が第２の位置決め部４２と筐体２との間に係合されることにより、第４の間隙４３が形成される。これにより、第１のフレーム３及び第２のフレーム４は、ファン群１の第１側１０及び第２側１１に直接接触しない。また、第１の位置決め部３２及び第２の位置決め部４２は、筐体２に直接接触しない。即ち、第１の間隙３０、第２の間隙３３、第３の間隙４０及び第４の間隙４３が介在することにより、ファン群１は、筐体２に直接接触しない。これにより、ファン群１から発生する振動が筐体２上に伝達されるのを阻止することができ、振動低減効果を大幅に高めることができる。また、本考案のファンの振動低減構造は、簡易に組み立てることができる。
【００２７】
（第２実施形態）
図１、図９及び図１０を参照する。図９は、本考案の第２実施形態によるファンの振動低減構造を示す分解斜視図である。図１０は、本考案の第１実施形態によるファンの振動低減構造を示す斜視図である。本考案の第２実施形態によるファンの振動低減構造の一部部材及び部材間の対応関係は、第１実施形態と同一であるため、同一部分は、ここでは説明しない。本考案の第２実施形態によるファンの振動低減構造においては、第１の位置決め部３２に、第１の位置決め段３２１及び第２の位置決め段３２２が湾曲形成される。また、第２の位置決め部４２に、第３の位置決め段４２１及び第４の位置決め段４２２が湾曲形成される。第１の位置決め段３２１及び第３の位置決め段４２１は、筐体２の内側に隣り合う。第２の係合部６０は、第２の位置決め段３２２及び第４の位置決め段４２２に係合される上、筐体２との間に第２の間隙３３及び第４の間隙４３を形成する。
【００２８】
第２の位置決め段３２２には、第１のフレーム３の方向に第１の湾曲段３２３が延伸される。また、第２の位置決め段３２２と第１の湾曲段３２３とは、接続されてＵ字形を呈する。第１の湾曲段３２３の第１の孔３２４に対応する位置には、第２の孔３２５が設けられる。第２の結合部材６は、第１の孔３２４及び第２の孔３２５を貫通する。
【００２９】
第３の位置決め段４２１には、第２のフレーム４の方向に第２の湾曲段４２３が延伸される。また、第４の位置決め段４２２と第２の湾曲段４２３とは、接続されてＵ字形を呈する。第２の湾曲段４２３の第３の孔４２４に対応する位置には、第４の孔４２５が設けられる。第２の結合部材６は、第３の孔４２４及び第４の孔４２５を貫通する。
【００３０】
上述の構造により、第１のフレーム３及び第２のフレーム４と筐体２との間を安定的に固定することができる。また、振動低減効果を高めることができる上、簡易に組み立てることができる。
【００３１】
（第３実施形態）
図１１及び図１２を参照する。図１１は、本考案の第３実施形態によるファンの振動低減構造を示す分解斜視図である。図１２は、本考案の第３実施形態によるファンの振動低減構造を示す斜視図である。本考案の第３実施形態によるファンの振動低減構造の一部部材及び部材間の対応関係は、前述の他の実施形態と同一であるため、同一部分は、ここでは説明しない。
本考案の第３実施形態によるファンの振動低減構造においては、第１のフレーム３の第１の位置決め部３２が各辺に対向して設置されず、筐体２に直接接触しない。また、第２のフレーム４の第２の位置決め部４２もまた各辺に対向設置されず、筐体２に直接接触しない。これにより、振動低減効果を高めることができる上、簡易に組み立てることができる。
【００３２】
上述した内容から分かるように、本考案のファンの振動低減構造は、従来技術と比較して以下（１）及び（２）に示す長所を有する。
（１）振動低減効果に優れる。
（２）簡易に組み立てることができる。
【００３３】
以上の説明は、本考案の好適な実施形態を示すものであり、本考案の特徴は、これらのみに限定されない。即ち、本考案の実用新案登録請求の範囲に基づく変更又は修飾は、全て本考案の実用新案登録請求の範囲に含まれる。
【符号の説明】
【００３４】
１  ファン群
１０  第１側
１０１  第１の固定孔
１１  第２側
１１１  第２の固定孔
２  筐体
２０  底板
２１  側壁
２２  凸部
２２１  位置決め孔
２２２  収容空間
３  第１のフレーム
３０  第１の間隙
３１  第１の穿孔
３２  第１の位置決め部
３２１  第１の位置決め段
３２２  第２の位置決め段
３２３  第１の湾曲段
３２４  第１の孔
３２５  第２の孔
３３  第２の間隙
４  第２のフレーム
４０  第３の間隙
４１  第２の穿孔
４２  第２の位置決め部
４２１  第３の位置決め段
４２２  第４の位置決め段
４２３  第２の湾曲段
４２４  第３の孔
４２５  第４の孔
４３  第４の間隙
５  第１の結合部材
５０  第１の係合部
６  第２の結合部材
６０  第２の係合部
【図１】
0003180761.tif 000003
【図２】
0003180761.tif 000004
【図３】
0003180761.tif 000005
【図４】
0003180761.tif 000006
【図５】
0003180761.tif 000007
【図６】
0003180761.tif 000008
【図７】
0003180761.tif 000009
【図８】
0003180761.tif 000010
【図９】
0003180761.tif 000011
【図１０】
0003180761.tif 000012
【図１１】
0003180761.tif 000013
【図１２】
0003180761.tif 000014